(57)【要約】【課題】記録媒体に記録するデータのうち所定の周波数特性を示すデータ部分を削除し、当該記録媒体に記録したデータの編集の手間をなくすこと。【解決手段】記録対象のデータの中から、所定の周波数特性を示すデータ部分を検出し、当該検出したデータ部分以外のデータをＨＤＤ１４に記録させるシステムコントローラ１１を備える。【選択図】図１
2008152843.tif 000002
【特許請求の範囲】
【請求項１】
記録対象のデータの中から、所定の周波数特性を示すデータ部分を検出し、当該検出したデータ部分以外のデータを記録媒体に記録させる制御手段を備えることを特徴とするデータ記録装置。
【請求項２】
前記データを一時的に記憶する記憶手段を備え、
前記制御手段は、
前記記憶手段に記憶されたデータの中から、所定の周波数特性を示すデータ部分を検出
することを特徴とする請求項１に記載のデータ記録装置。
【請求項３】
前記制御手段は、
前記所定の周波数特性を示すデータ部分の開始部分を一定時間分フェードアウトさせるフェードアウト手段と、
前記所定の周波数特性を示すデータ部分の終了部分を一定時間フェードインさせるフェードイン手段と、
前記フェードアウト手段により一定時間フェードアウトされたデータ部分、前記フェードイン手段により一定時間フェードインされたデータ部分、及び前記所定の周波数特性を示すデータ部分以外のデータを記録媒体に記録させる記録制御手段と、
を備えることを特徴とする請求項１又は２に記載のデータ記録装置。
【請求項４】
記録対象のデータの中から、所定の周波数特性を示すデータ部分を検出し、当該検出したデータ部分以外のデータを記録媒体に記録させる制御工程を含むことを特徴とするデータ記録方法。
【請求項５】
コンピュータを、
記録対象のデータの中から、所定の周波数特性を示すデータ部分を検出し、当該検出したデータ部分以外のデータを記録媒体に記録させる制御手段、
として機能させるためのデータ記録プログラム。
【発明の詳細な説明】
【技術分野】
【０００１】
本発明は、データ記録装置、データ記録方法及びデータ記録プログラムに関する。
【背景技術】
【０００２】
従来から、光情報記憶媒体であるＭＤ（Mini Disc）、ＣＤ（Compact Disc）等のデータを記録するデータ記録装置が知られている。
【０００３】
図６を参照して、従来のデータ記録装置で実行されるデータ記録処理について説明する。図６に、従来のデータ記録処理のフローを示す。以下、ＣＤから楽曲データを自動録音し、当該録音した楽曲データをデータ記録装置に記録する場合について説明する。
【０００４】
先ず、ＣＤメカ部（図示省略）にＣＤがあるか否かが判別される（ステップＳ４０１）。ＣＤメカ部にＣＤがないと判別された場合（ステップＳ４０１；ＮＯ）、ステップＳ４０１に移行される。ＣＤメカ部にＣＤがあると判別された場合（ステップＳ４０１；ＹＥＳ）、ＣＤのＴＯＣ（Table Of Contents）情報のリードが完了しているか否かが判別される（ステップＳ４０２）。ＴＯＣ情報のリードが完了していないと判別された場合（ステップＳ４０２；ＮＯ）、ＴＯＣ情報がリードされる（ステップＳ４０３）。ステップＳ４０３の実行後、ステップＳ４０２に移行される。
【０００５】
ＴＯＣ情報のリードが完了していると判別された場合（ステップＳ４０２；ＹＥＳ）、自動録音キー入力が実行されたか否かが判別される（ステップＳ４０４）。自動録音キー入力が実行されていないと判別された場合（ステップＳ４０４；ＮＯ）、ステップＳ４０４に移行される。自動録音キー入力が実行されたと判別された場合（ステップＳ４０４；ＹＥＳ）、ＣＤ再生の一時停止（ＣＤＰＬＡＹ  ＰＡＵＳＥ）が実行される（ステップＳ４０５）。そして、録音の一時停止（ＲＥＣ  ＰＡＵＳＥ）が実行される（ステップＳ４０６）。
【０００６】
ステップＳ４０６の実行後、録音が開始される（ステップＳ４０７）。そして、ＣＤの再生が開始される（ステップＳ４０８）。ステップＳ４０８の実行後、ＣＤの楽曲データの再生が終了したか否かが判別される（ステップＳ４０９）。ＣＤの楽曲データの再生が終了していないと判別された場合（ステップＳ４０９；ＮＯ）、操作部（図示省略）を介してＳＴＯＰキー入力が実行されたか否かが判別される（ステップＳ４１０）。ＳＴＯＰキー入力が実行されていないと判別された場合（ステップＳ４１０；ＮＯ）、ステップＳ４０９に移行される。ＳＴＯＰキー入力が実行されていると判別された場合（ステップＳ４１０；ＹＥＳ）、後述するステップＳ４１１に移行される。
【０００７】
ＣＤの楽曲データの再生が終了していると判別された場合（ステップＳ４０９；ＹＥＳ）、ＣＤの録音がストップされる（ステップＳ４１１）。ステップＳ４１１の実行後、従来のデータ記録処理は終了する。
【０００８】
また、入力される音声データの無音部分を削除することにより、音声データの情報量を適切に低減させることができる音声データ記憶装置が知られている（例えば、特許文献１参照）。
【特許文献１】特開平１１−７３００号公報
【発明の開示】
【発明が解決しようとする課題】
【０００９】
しかし、従来のデータ記録処理では、例えば、ＣＤに記録されている楽曲データがコンサートやライブ等の楽曲データであった場合、観衆の拍手部分（所定の周波数特性を示すデータ部分）も記録されてしまう。当該拍手部分は、ユーザにとっては不要なデータである場合もある。この場合ユーザは、楽曲データを再生する際に拍手部分の早送りを行ったり、当該拍手部分を削除するなど、楽曲データの編集作業に手間を要していた。
【００１０】
本発明の課題は、記録媒体に記録するデータのうち所定の周波数特性を示すデータ部分を削除し、当該記録媒体に記録したデータの編集の手間をなくすことである。
【課題を解決するための手段】
【００１１】
上記課題を解決するため、請求項１に記載の発明のデータ記録装置は、
記録対象のデータの中から、所定の周波数特性を示すデータ部分を検出し、当該検出したデータ部分以外のデータを記録媒体に記録させる制御手段を備えることを特徴とする。
【００１２】
請求項２に記載の発明は、請求項１に記載の発明のデータ記録装置において、
前記データを一時的に記憶する記憶手段を備え、
前記制御手段は、
前記記憶手段に記憶されたデータの中から、所定の周波数特性を示すデータ部分を検出
することを特徴とする。
【００１３】
請求項３に記載の発明は、請求項１又は２に記載の発明のデータ記録装置において、
前記制御手段は、
前記所定の周波数特性を示すデータ部分の開始部分を一定時間分フェードアウトさせるフェードアウト手段と、
前記所定の周波数特性を示すデータ部分の終了部分を一定時間フェードインさせるフェードイン手段と、
前記フェードアウト手段により一定時間フェードアウトされたデータ部分、前記フェードイン手段により一定時間フェードインされたデータ部分、及び前記所定の周波数特性を示すデータ部分以外のデータを記録媒体に記録させる記録制御手段と、を備えることを特徴とする。
【００１４】
請求項４に記載の発明のデータ記録方法は、
記録対象のデータの中から、所定の周波数特性を示すデータ部分を検出し、当該検出したデータ部分以外のデータを記録媒体に記録させる制御工程を含むことを特徴とする。
【００１５】
請求項５に記載の発明のデータ記録プログラムは、
コンピュータを、
記録対象のデータの中から、所定の周波数特性を示すデータ部分を検出し、当該検出したデータ部分以外のデータを記録媒体に記録させる制御手段、として機能させることを特徴とする。  
【発明の効果】
【００１６】
本発明によれば、記録媒体に記録するデータのうち所定の周波数特性を示すデータ部分を削除し、当該記録媒体に記録したデータの編集の手間をなくすことができる。
【発明を実施するための最良の形態】
【００１７】
以下、添付図面を参照して本発明に係る実施の形態を詳細に説明する。ただし、発明の範囲は、図示例に限定されない。
【００１８】
（実施の形態）
図１〜図３を参照して、本発明に係る実施の形態を説明する。図１に本発明に係るデータ記録装置１の装置構成を示す。図２及び図３に第１のデータ記録処理のフローを示す。
【００１９】
先ず、図１を参照してデータ記録装置１の装置構成について説明する。
データ記録装置１は、制御手段、フェードアウト手段、フェードイン手段、記録制御手段としてのシステムマイコン１１と、表示部１２と、操作部１３と、記録媒体としてのＨＤＤ１４と、ＣＤメカ部１５と、ＭＤメカ部１６と、ＤＳＰ（Digital Signal Processor）１７と、ＤＡＣ（Digital analog converter）１８と、アンプ部１９と、スピーカー部２０と、セレクター２１と、ＡＤＣ（Analog digital converter）２２と、記憶手段としてのＤＲＡＭ（Dynamic Random Access Memory）２３と、を備えて構成される。
【００２０】
システムマイコン１１は、ＣＰＵ（Central  Processing  Unit）と、ＲＯＭ（Read  Only  Memory）と、ＲＡＭ（Random  Access  Memory）と、を備える。
【００２１】
ＣＰＵは、各部を中央制御する。ＲＯＭは、情報を読み出し可能なメモリであり、特に、第１のデータ記録プログラムを記憶する。ＲＡＭは、格納する揮発性のメモリであり、各種プログラム及び各種データを展開するワークエリアを有する。
【００２２】
システムマイコン１１は、ＲＯＭに記憶されているシステムプログラム及び各種アプリケーションプログラムの中から指定されたプログラムやＲＡＭに記憶されたデータを読み出して当該ＲＡＭに展開し、ＲＡＭに展開されたプログラムやデータとＣＰＵとの協働で、各種処理を実行する。
【００２３】
システムマイコン１１は、第１のデータ記録プログラムにより、記録対象のデータとしての楽曲データの中から、拍手部分（所定の周波数特性を示すデータ部分）を検出し、当該検出したデータ部分以外のデータをＨＤＤ１４に記録させる。
【００２４】
表示部１２は、ＬＣＤ（Liquid Crystal Display）等により構成され、システムマイコン１１から入力される表示信号に基づいて、ＣＤ又はＭＤの再生又は記録中に所要の表示動作を行う。例えば、再生中のトラック番号、動作状態（早送り、巻き戻し、録音等）、記録モード等を表示する。
【００２５】
操作部１３は、再生キー、停止キー、サーチキー等の各種入力キーを備え、その押下信号をシステムマイコン１１に出力する。
【００２６】
ＨＤＤ１４は、磁気記憶媒体を備え、システムマイコン１１の指示により、各種情報を読み出し及び書き込み可能に磁気記憶媒体に記憶する。
【００２７】
ＣＤメカ部１５は、ユーザの所望する特定のＣＤをＣＤ再生部（図示省略）に案内して再生可能な状態にセットする機構を備える。ＭＤメカ部１６は、ユーザの所望する特定のＭＤをＭＤ再生部（図示省略）に案内して再生可能な状態にセットする機構を備える。
【００２８】
ＤＳＰ１７は、高速のマイクロプロセッサであり、ＣＤの楽曲データのＡＴＲＡＣ（Adaptive Transform Acoustic Coding）方式への圧縮／伸張の処理、エラー訂正符号化の処理、ＥＦＭ（Eight to Fourteen Modulation）変調処理等の各種デジタル信号処理を施す。また、ＤＳＰ１７は、所定の周波数特性を示すデータ１７Ａを所定数記憶している。図１の例では、データＡ、データＢ、データＣを記憶している。
【００２９】
また、ＤＳＰ１７は、ＣＤの楽曲データに含まれている観衆の拍手部分の検出を行う。ここで、ＤＳＰ１７実行される拍手検出について説明する。
先ず、ＤＳＰ１７は、後述するＤＲＡＭ２３に一時的に記憶されている楽曲データを読み出す。そして、所定の周波数特性を示すデータ１７Ａと、ＤＲＡＭ２３から読み出した楽曲データと、の周波数特性を比較判別する。周波数特性の比較判別は、データ１７Ａと、ＤＲＡＭ２３から読み出だした楽曲データと、の周波数特性が一定期間以上一致又は類似しているか否かを判別することにより行われる。
【００３０】
ＤＳＰ１７は、データ１７Ａと、ＤＲＡＭ２３から読み出した楽曲データと、の周波数特性が一定期間以上一致又は類似していると判別したとき、当該一致又は類似部分が拍手部分であると判定する。そして、ＤＲＡＭ２３に記憶されているデータから、当該一致又は類似部分を省いた楽曲データをＨＤＤ１４に記録する。
【００３１】
ここで、所定の周波数特性を示すデータ１７Ａが拍手部分である場合、例えば大勢の拍手の場合は、所定の周波数範囲にわたりほぼ一定レベルのスペクトルレベルを有する。ＤＳＰ１７は、ＤＲＡＭ２３から読み出した楽曲データの周波数特性が、所定の周波数範囲にわたりほぼ一定レベルのスペクトルを有している場合、所定の周波数特性を示すデータ１７Ａと、ＤＲＡＭ２３から読み出した楽曲データと、が一定期間一致または類似と判断する。
【００３２】
ＤＡＣ１８は、ＤＳＰ１７において処理された所定のデジタル信号をアナログ信号に変換し、アンプ部１９に出力する。アンプ部１９は、ＤＡＣ１８より出力されたアナログ信号を増幅する。スピーカー部２０は、アンプ部１９から出力されたアナログ信号を外部に出力する。
【００３３】
セレクター２１は、ＣＤメカ部１５及びＭＤメカ部１６の出力信号（楽曲データのアナログ信号）を受信し、受信した信号の切り替えを行う。そして、切り替えた信号をＡＤＣ２２に出力する。例えば、ＣＤの楽曲データをＡＤＣ２２に出力する場合、ＣＤの楽曲データをＡＤＣ２２へ出力する。ＡＤＣ２２は、セレクター２１の出力信号を受信する。そして、受信信号（アナログ信号）をデジタル信号に変換し、ＤＳＰ１７に出力する。ＤＲＡＭ２３は、ＣＤ、ＭＤ等より録音した楽曲データを一時的に記憶する。
【００３４】
次に、本実施の形態のデータ記録装置１の動作について図２を参照して説明する。図２及び図３に、データ記録装置１で実行される第１のデータ記録処理の流れを示す。第１のデータ記録処理は、楽曲データの中から、拍手部分（所定の周波数特性を示すデータ部分）を検出し、当該検出したデータ部分以外のデータをＨＤＤ１４に記録させる処理である。以下、ＣＤに記録されている楽曲データをＨＤＤ１４に記録するものとして説明する。
【００３５】
例えば、データ記録装置１において、第１のデータ記録処理の実行指示が操作部１３を介して入力されたこと等をトリガとして、ＲＯＭから読み出されて適宜ＲＡＭに展開された第１のデータ記録プログラムと、ＣＰＵとの協働により第１のデータ記録処理が実行される。
【００３６】
先ず、ＣＤメカ部１５にＣＤがあるか否かが判別される（ステップＳ１０１）。ＣＤメカ部１５にＣＤがないと判別された場合（ステップＳ１０１；ＮＯ）、ステップＳ１０１に移行される。ＣＤメカ部１５にＣＤがあると判別された場合（ステップＳ１０１；ＹＥＳ）、ＣＤのＴＯＣ情報のリードが完了しているか否かが判別される（ステップＳ１０２）。ＴＯＣ情報のリードが完了していないと判別された場合（ステップＳ１０２；ＮＯ）、ＴＯＣ情報がリードされる（ステップＳ１０３）。ＴＯＣ情報には、各楽曲データのトラック番号及び各トラックの演奏時間が含まれる。ステップＳ１０３の実行後、ステップＳ１０２に移行される。
【００３７】
ＴＯＣ情報のリードが完了していると判別された場合（ステップＳ１０２；ＹＥＳ）、自動録音キー入力が実行されたか否かが判別される（ステップＳ１０４）。ここで、自動録音キーとは、録音を自動に行うキーのことをいう。自動録音キー入力が実行されていないと判別された場合（ステップＳ１０４；ＮＯ）、ステップＳ１０４に移行される。自動録音キー入力が実行されたと判別された場合（ステップＳ１０４；ＹＥＳ）、ＣＤ再生の一時停止（ＣＤＰＬＡＹ  ＰＡＵＳＥ）が実行される（ステップＳ１０５）。そして、録音の一時停止（ＲＥＣ  ＰＡＵＳＥ）が実行される（ステップＳ１０６）。
【００３８】
ステップＳ１０６の実行後、録音が開始される（ステップＳ１０７）。ここで、録音とは、ＤＲＡＭ２３に一時的に記憶されたＣＤの楽曲データのうち、所定の周波数特性を示すデータ１７Ａと一致又は類似する以外の部分のデータをＨＤＤ１４に記録することをいう。
【００３９】
ステップＳ１０７の実行後、ＣＤの楽曲データの再生が開始される（ステップＳ１０８）。そして、楽曲データの拍手部分の開始部分を検出したか否かが判別される（ステップＳ１０９）。ここで、楽曲データの拍手部分の開始部分の検出は、ＤＲＡＭ２３に一時的に記憶されたデータと、所定の周波数特性を示すデータ１７Ａと、が一定期間以上一致又は類似するか否かをＤＳＰ１７に判別させることにより行われる。ＤＳＰ１７により、ＤＲＡＭ２３に一時的に記憶されたデータのうち、データ１７Ａと一定期間以上一致又は類似する部分があると判別された場合、データ１７Ａと一定期間一致又は類似する部分の開始部分が検出される。そして、当該開始部分にさかのぼった楽曲データがＤＲＡＭ２３からＨＤＤ１４に記録される。
【００４０】
ステップＳ１０９において、拍手部分の開始部分を検出していないと判別された場合（ステップＳ１０９；ＮＯ）、後述するステップＳ１１３に移行される。拍手部分の開始部分を検出したと判別された場合（ステップＳ１０９；ＹＥＳ）、録音の一時停止（ＲＥＣ  ＰＡＵＳＥ）が実行される（ステップＳ１１０）。ここで、録音の一時停止とは、ＤＲＡＭ２３に一時的に記憶されているデータをＨＤＤ１４に記録することを一時停止することをいう。
【００４１】
そして、楽曲データの拍手部分の終了部分を検出したか否かが判別される（ステップＳ１１１）。楽曲データの拍手部分の終了部分の検出は、拍手部分の開始部分の検出と同様に検出される。すなわち、ＤＳＰ１７により、ＤＲＡＭ２３に一時的に記憶されたデータのうち、データ１７Ａと一致又は類似する部分があると判別された場合、データ１７Ａと一致又は類似する部分の終了部分が検出される。楽曲データの拍手部分の終了部分を検出していないと判別された場合（ステップＳ１１１；ＮＯ）、ステップＳ１１１に移行される。楽曲データの拍手部分の終了部分を検出したと判別された場合（ステップＳ１１１；ＹＥＳ）、録音が再開される（ステップＳ１１２）。ここで、録音の再開とは、ＤＲＡＭ２３に一時的に記憶されているデータをＨＤＤ１４に記憶することを再開することをいう。
【００４２】
ステップＳ１１２の実行後、ＣＤの楽曲データの再生が終了したか否かが判別される（ステップＳ１１３）。ＣＤの楽曲データの再生が終了していないと判別された場合（ステップＳ１１３；ＮＯ）、操作部１３を介してＳＴＯＰキー入力が実行されたか否かが判別される（ステップＳ１１４）。ＳＴＯＰキー入力が実行されていないと判別された場合（ステップＳ１１４；ＮＯ）、ステップＳ１０９に移行される。ＳＴＯＰキー入力が実行されていると判別された場合（ステップＳ１１４；ＹＥＳ）、後述するステップＳ１１５に移行される。
【００４３】
ＣＤの楽曲データの再生が終了していると判別された場合（ステップＳ１１３；ＹＥＳ）、ＣＤの楽曲データの録音がストップされる（ステップＳ１１５）。ステップＳ１１５の実行後、第１のデータ記録処理は終了する。
【００４４】
以上、本実施の形態によれば、システムコントロール１１により再生された楽曲データの中から拍手部分（所定の周波数特性を示すデータ部分）を検出し、当該検出した楽曲データ部分以外のデータをＨＤＤ１４に記録することができる。これにより、ＨＤＤ１４に記録するデータのうち、所定の周波数特性を示すデータ部分を削除し、ＨＤＤ１４に記録した楽曲データの編集の手間をなくすことができる。
【００４５】
また、データを一時的に記憶するＤＲＡＭ２３に記憶された楽曲データの中から、拍手部分を検出することができる。これにより、拍手部分の開始及び終了の検出にかかる時間分、楽曲データが切れないようにＨＤＤ１４に楽曲データを記録することができる。
【００４６】
（変形例）
図４及び図５を参照して、本発明に係る実施の形態の変形例を説明する。図４及び図５に本発明に係る第２のデータ記録処理の流れを示すフローチャートを示す。以下、本実施の形態の変形例の装置構成は、上記実施の形態と同様にデータ記録装置１を用い、上記実施の形態と同様な部分には、その詳細な説明を援用し、異なる部分について説明する。
【００４７】
データ記録装置１において、第２のデータ記録処理がＲＯＭに記憶される。第２のデータ記録処理は、楽曲データの所定の周波数特性を示す最初の部分を一定時間フェードアウトし、所定の周波数特性を示す最後の部分を一定時間フェードインする処理である。
【００４８】
例えば、データ記録装置１において、第２のデータ記録処理の実行指示が操作部１３を介して入力されたこと等をトリガとして、ＲＯＭから読み出されて適宜ＲＡＭに展開された第１のデータ記録プログラムと、ＣＰＵとの協働により第２のデータ記録処理が実行される。
【００４９】
先ず、ＣＤメカ部１５にＣＤがあるか否かが判別される（ステップＳ２０１）。ＣＤメカ部１５にＣＤがないと判別された場合（ステップＳ２０１；ＮＯ）、ステップＳ２０１に移行される。ＣＤメカ部１５にＣＤがあると判別された場合（ステップＳ２０１；ＹＥＳ）、ＣＤのＴＯＣ情報のリードが完了しているか否かが判別される（ステップＳ２０２）。ＴＯＣ情報のリードが完了していないと判別された場合（ステップＳ２０２；ＮＯ）、ＴＯＣ情報がリードされる（ステップＳ２０３）。ステップＳ２０３の実行後、ステップＳ２０２に移行される。
【００５０】
ＴＯＣ情報のリードが完了していると判別された場合（ステップＳ２０２；ＹＥＳ）、自動録音キー入力が実行されたか否かが判別される（ステップＳ２０４）。自動録音キー入力が実行されていないと判別された場合（ステップＳ２０４；ＮＯ）、ステップＳ２０４に移行される。自動録音キー入力が実行されたと判別された場合（ステップＳ２０４；ＹＥＳ）、ＣＤ再生の一時停止（ＣＤＰＬＡＹ  ＰＡＵＳＥ）が実行される（ステップＳ２０５）。そして、録音の一時停止（ＲＥＣ  ＰＡＵＳＥ）が実行される（ステップＳ２０６）。
【００５１】
ステップＳ２０６の実行後、録音が開始される（ステップＳ２０７）。そして、ＣＤの楽曲データの再生が開始される（ステップＳ２０８）。ステップＳ２０８の実行後、拍手部分の開始部分を検出したか否かが判別される（ステップＳ２０９）。拍手部分の開始部分を検出していないと判別された場合（ステップＳ２０９；ＮＯ）、後述するステップＳ２１５に移行される。
【００５２】
拍手部分の開始部分を検出した場合（ステップＳ２０９；ＹＥＳ）、録音する楽曲データのフェードアウトが一定時間実行される（ステップＳ２１０）。ここで、録音する楽曲データのフェードアウトが一定時間実行されるとは、一定時間、録音する楽曲データの音のボリュームを徐々に小さくして聞こえなくなるように、楽曲データを加工することをいう。ステップＳ２１０の実行後、録音の一時停止（ＲＥＣ  ＰＡＵＳＥ）が実行される（ステップＳ２１１）。そして、拍手部分の終了部分を検出したか否かが判別される（ステップＳ２１２）。拍手部分の終了部分を検出していないと判別された場合（ステップＳ２１２；ＮＯ）、ステップＳ２１２に移行される。拍手部分の終了部分を検出したと判別された場合（ステップＳ２１２；ＹＥＳ）、録音が再開される（ステップＳ２１３）。
【００５３】
ステップＳ２１３の実行後、録音する楽曲データのフェードインが一定時間実行される（ステップＳ２１４）。ここで、録音する楽曲データのフェードインが一定時間実行されるとは、一定時間、録音する楽曲データの音のボリュームを徐々に大きくして、通常の音のボリュームになるように、楽曲データを加工することをいう。ステップＳ２１４の実行後、ＣＤの楽曲データの再生が終了したか否かが判別される（ステップＳ２１５）。ＣＤの楽曲データの再生が終了していないと判別された場合（ステップＳ２１５；ＮＯ）、操作部１３を介してＳＴＯＰキー入力が実行されたか否かが判別される（ステップＳ２１６）。ＳＴＯＰキー入力が実行されていないと判別された場合（ステップＳ２１６；ＮＯ）、ステップＳ２０９に移行される。ＳＴＯＰキー入力が実行されていると判別された場合（ステップＳ２１６；ＹＥＳ）、後述するステップＳ２１７に移行される。
【００５４】
ＣＤの楽曲データの再生が終了していると判別された場合（ステップＳ２１５；ＹＥＳ）、ＣＤの楽曲データの録音がストップされる（ステップＳ２１７）。ステップＳ２１７の実行後、第２のデータ記録処理は終了する。
【００５５】
以上、本変形例によれば、一定時間フェードインアウトされたデータ部分、一定時間フェードインされたデータ部分、及び所定の周波数特性を示すデータ部分以外のデータをＨＤＤ１４に記録させることができる。これにより、ＨＤＤ１４に記録するデータの加工を行うことができる。
【００５６】
なお、上記実施の形態及び変形例における記述は、本発明に係るデータ記録装置、データ記録再生方法及びデータ記録プログラムの一例であり、これに限定されるものではない。
【００５７】
例えば、上記実施の形態及び変形例では、データ記録装置１を、ＨＤＤ１４を備える構成としたが、フラッシュメモリ等の半導体メモリを備える構成としてもよく、半導体メモリを搭載したメモリカード、ＵＳＢ（Universal Serial Bus）メモリ等としてもよい。
【００５８】
また、記録するデータをＣＤの楽曲データとしたが、これに限定されるものではない。例えば、ラジオ、講演等の音声データとしてもよい。
【００５９】
また、ＣＤの楽曲データをＡＴＲＡＣ（Adaptive Transform Acoustic Coding）方式へ圧縮／伸張する処理を例として説明したが、これに限らずＭＰ３（MPEG-1 Audio Layer-3）方式やＷＭＡ（Windows Media (登録商標)Audio）方式などの各種圧縮形式や非圧縮のデータ形式としてもよい。
【００６０】
また、外部の機器から取り込んだアナログ信号（例えば、外部のＣＤ再生装置で再生された楽曲データのアナログ信号等）をセレクター２１に入力する構成としてもよい。例えば、外部の機器から取り込んだアナログ信号が、セレクター２１によりＡＤＣ２２に出力されたとする。この場合、当該アナログ信号はＡＤＣ２２によりデジタル信号に変換される。そして、変換されたデジタル信号が、記録対象のデータとなる。
【００６１】
また、上記第２のデータ記録処理において、楽曲データの拍手部分が所定時間以内の拍手（例えば、２秒以内）であった場合、ステップＳ２１０のフェードイン及びステップＳ２１４のフェードアウトは行わないこととしてもよい。
【００６２】
また、上記実施の形態及び変形例では、データを自動録音する場合としたが、ユーザが手動で録音することとしてもよい。
【００６３】
その他、上記実施の形態におけるデータ記録装置１の細部構成及び詳細動作に関しても、本発明の趣旨を逸脱しない範囲で適宜変更可能である。
【図面の簡単な説明】
【００６４】
【図１】本発明に係るデータ記録装置１の構成図である。
【図２】本発明に係る第１のデータ記録処理の流れを示すフローチャートである。
【図３】本発明に係る第１のデータ記録処理の流れを示すフローチャートである。
【図４】本発明に係る第２のデータ記録処理の流れを示すフローチャートである。
【図５】本発明に係る第２のデータ記録処理の流れを示すフローチャートである。
【図６】従来のデータ記録処理の流れを示すフローチャートである。
【符号の説明】
【００６５】
１      データ記録装置
１１    システムマイコン
１２    表示部
１３    操作部
１４    ＨＤＤ
１５    ＣＤメカ部
１６    ＭＤメカ部
１７    ＤＳＰ
１８    ＤＡＣ
１９    アンプ部
２０    スピーカー部
２１    セレクター
２２    ＡＤＣ
２３    ＤＲＡＭ
【図１】
2008152843.tif 000003
【図２】
2008152843.tif 000004
【図３】
2008152843.tif 000005
【図４】
2008152843.tif 000006
【図５】
2008152843.tif 000007
【図６】
2008152843.tif 000008